(57)【特許請求の範囲】
【請求項１】
本体と、前記本体の天面に配された、被加熱調理器を載置する天板と、前記天板の下方に設けられた誘導加熱コイルと、前記誘導加熱コイルに高周波電力を供給する電源回路と、外部からの操作により機器の運転の制御や、機器の運転状態の表示を行なう制御回路と、前記制御回路を収納する操作部ユニットと、を備え、前記本体の天面には開口部を形成し、前記操作部ユニットの一部を前記開口部に臨ませて前記本体に固定し、外部からの操作力を前記制御回路に設けたスイッチに伝達する為のエンボス加工部を有して前記開口部を含む操作面及び表示面を覆うパネルシートを前記本体の天面に貼り付け、前記スイッチ上方に、前記操作部ユニットの操作部カバーには弾性を有する腕部の一端に形成されて、略上下動の為に周囲に隙間を形成し外部操作による操作力を前記スイッチに伝達するボタン部を配するとともに、前記パネルシートと前記操作部カバーとの間に、防水性を有する材質からなる防水シートを配するとともに、前記防水シートは、外周端部が前記操作面の前記開口部より外側に伸長し、前記ボタン部及び前記隙間を覆ってなる誘導加熱調理器。
【請求項２】
前記防水シートの外周のフランジ部は、略鉛直下方に伸長して形成してなる請求項１に記載の誘導加熱調理器。
【請求項３】
前記防水シートの外周のフランジ部は、外側に向かうにつれて下方に伸長して形成してなる請求項１に記載の誘導加熱調理器。
【請求項４】
前記防水シートの外周端部の下方に排水用溝部を配してなる請求項１〜３のいずれか１項に記載の誘導加熱調理器。
【請求項５】
前記防水シートの外周端部の下方に配した前記排水用溝部を、前記制御回路を収納する前記操作部カバーに一体で形成してなる請求項４に記載の誘導加熱調理器。
【請求項６】
前記ボタン部の周囲に形成した隙間の外周近傍を上方に突出させ、その突出部よりも外側に前記防水シートの端部を臨ませてなる請求項１に記載の誘導加熱調理器。
【請求項７】
前記防水シートの、前記ボタン部上方に相対する位置に、第２のエンボス加工部を形成してなる請求項１〜６のいずれか１項に記載の誘導加熱調理器。
【請求項８】
本体と、前記本体の天面に配された、被加熱調理器を載置する天板と、前記天板の下方に設けられた誘導加熱コイルと、前記誘導加熱コイルに高周波電力を供給する電源回路と、外部からの操作により機器の運転の制御や、機器の運転状態の表示を行なう制御回路と、前記制御回路を収納する操作部ユニットと、を備え、前記本体の天面には開口部を形成し、前記操作部ユニットの一部を前記開口部に臨ませて前記本体に固定し、外部からの操作力を前記制御回路に設けたスイッチに伝達する為のエンボス加工部を有して前記開口部を含む操作面及び表示面を覆うパネルシートを前記本体の天面に貼り付けて、前記パネルシートに透明部を形成し、前記透明部の下方に前記操作部ユニットの表示部を配し、前記操作部ユニットの操作部カバーの前記表示部に相対する箇所に開口した表示窓を形成し、前記開口した表示窓に透明材質からなる保護板を配するとともに、前記保護板は、外周端部が前記開口した表示窓の縁よりも外側に伸長し、前記表示面の前記開口部より内側の前記パネルシート近傍で前記表示窓を覆ってなる誘導加熱調理器。
【請求項９】
前記保護板の外周のフランジ部は、略鉛直下方に伸長して形成してなる請求項８に記載の誘導加熱調理器。
【請求項１０】
前記保護板の外周のフランジ部は、外側に向かうにつれて下方に伸長して形成してなる請求項８に記載の誘導加熱調理器。
【請求項１１】
前記保護板の外周端部の下方に排水用溝部を配してなる請求項８〜１０のいずれか１項に記載の誘導加熱調理器。
【請求項１２】
前記保護板の外周端部の下方に配した前記排水用溝部を、制御回路を収納する前記操作部カバーに一体で形成してなる請求項１１に記載の誘導加熱調理器。
【請求項１３】
前記開口した表示窓の外周近傍を上方に突出させ、その突出部よりも外側に前記保護板の端部を臨ませた請求項８に記載の誘導加熱調理器。
【発明の詳細な説明】
【技術分野】
【０００１】
本発明は、一般家庭の台所や業務用の厨房等で使用される、据え置き型或いは組込型の誘導加熱調理器に関するものである。
【背景技術】
【０００２】
従来この種の誘導加熱調理器の操作・表示部は本体前面あるいは本体天面に配するものが一般的であったが、特に近年は操作のし易さや表示の見易さの点から、少なくとも、操作の頻度の高いあるいは状態表示の確認頻度の高い、主たる操作・表示を本体天面部に設けるものが主流となってきている（例えば、特許文献１参照）。
【先行技術文献】
【特許文献】
【０００３】
【特許文献１】特開２００４−３２７１１２号公報
【発明の概要】
【発明が解決しようとする課題】
【０００４】
しかしながら、前記従来の構成では、熱せられたフライパン等を誤って操作・表示部に接触させて、パネルシートが変形し、あるいは、溶けて穴があく等の損傷を受けた場合に水が制御回路内に浸入して故障する可能性があるという課題を有していた。
【０００５】
本発明は、前記従来の課題を解決するもので、うっかり使用等でパネルシートが損傷した場合においても制御回路の、水等の浸入による故障を防止でき、信頼性の高い誘導加熱調理器を提供することを目的とする。
【課題を解決するための手段】
【０００６】
前記従来の課題を解決するために、本発明の加熱調理器は、本体と、前記本体の天面に配された、被加熱調理器を載置する天板と、前記天板の下方に設けられた誘導加熱コイルと、前記誘導加熱コイルに高周波電力を供給する電源回路と、外部からの操作により機器の運転の制御や、機器の運転状態の表示を行なう制御回路と、前記制御回路を収納する操作部ユニットと、を備え、前記本体の天面には開口部を形成し、前記操作部ユニットの一部を前記開口部に臨ませて前記本体に固定し、外部からの操作力を前記制御回路に設けたスイッチに伝達する為のエンボス加工部を有して前記開口部を含む操作面及び表示面を覆うパネルシートを前記本体の天面に貼り付け、前記スイッチ上方に、前記操作部ユニットの操作部カバーには弾性を有する腕部の一端に形成されて、略上下動の為に周囲に隙間を形成し外部操作による操作力を前記スイッチに伝達するボタン部を配するとともに、前記パネルシートと前記操作部カバーとの間に、防水性を有する材質からなる防水シートを配するとともに、前記防水シートは、外周端部が前記操作面の前記開口部より外側に伸長し、前記ボタン部及び前記隙間を覆ってなるものである。
【０００７】
この構成により、パネルシートが損傷した場合においても、操作部カバーに形成されたボタン部等からの制御回路への水の浸入を、防水シートによって防ぐことができるのである。また、ボタンの上下動をスムース化するために必要な隙間も含めて、水の浸入の防止を図ることができる。
【発明の効果】
【０００８】
本発明の加熱調理器によれば、パネルシートが破損した場合でも水の浸入等により、制御回路が故障するのを防止し、信頼性の高い誘導加熱調理器を実現できる。
【図面の簡単な説明】
【０００９】
【図１】本発明の実施形態１における誘導加熱調理器の概略構成を示す外観斜視図
【図２】同誘導加熱調理器の概略構成を示す分解斜視図
【図３】同誘導加熱調理器の要部の分解斜視図
【図４】同誘導加熱調理器の要部の組立て断面図
【図５】本発明の実施形態２における誘導加熱調理器の要部の組立て断面図
【図６】同実施形態３における誘導加熱調理器の要部の組立て断面図
【図７】同実施形態４における誘導加熱調理器の要部の組立て断面図
【図８】同実施形態５における誘導加熱調理器の要部の組立て断面図
【図９】同実施形態６における誘導加熱調理器の要部の組立て断面図
【発明を実施するための形態】
【００１０】
第１の発明は、本体と、前記本体の天面に配された、被加熱調理器を載置する天板と、前記天板の下方に設けられた誘導加熱コイルと、前記誘導加熱コイルに高周波電力を供給する電源回路と、外部からの操作により機器の運転の制御や、機器の運転状態の表示を行なう制御回路と、前記制御回路を収納する操作部ユニットと、を備え、前記本体の天面には開口部を形成し、前記操作部ユニットの一部を前記開口部に臨ませて前記本体に固定し、外部からの操作力を前記制御回路に設けたスイッチに伝達する為のエンボス加工部を有して前記開口部を含む操作面及び表示面を覆うパネルシートを本体の天面に貼り付け、前記スイッチ上方に、前記操作部ユニットの操作部カバーには弾性を有する腕部の一端に形成されて、略上下動の為に周囲に隙間を形成し外部操作による操作力を前記スイッチに伝達するボタン部を配するとともに、前記パネルシートと前記操作部カバーとの間に、防水性を有する材質からなる防水シートを配するとともに、前記防水シートは、外周端部が前記操作面の前記開口部より外側に伸長し、前記ボタン部及び前記隙間を覆ってなるものである。
【００１１】
これにより、パネルシートが損傷した場合においても、操作部カバーに形成されたボタン部等からの制御回路への水の浸入を、防水シートによって防ぐことができるのである。
【００１２】
また、防水シートの端部を、少なくともボタン部及びボタン部の略上下動の為にボタン部の周囲に形成した隙間を覆ったことにより、ボタンの上下動をスムース化するために必要な隙間も含めて、水の浸入の防止を図ることができる。
【００１３】
第２の発明は、特に、第１の発明において、前記防水シートの外周のフランジ部は、略鉛直下方に伸長して形成したことにより、防水シートで覆った部分への水の浸入防止の確実性が増すとともに、水平方向の省スペース化が図れる。
【００１４】
第３の発明は、特に、第１の発明において、前記防水シートの外周のフランジ部は、外側に向かうにつれて下方に伸長して形成したことにより、防水シートで覆った部分への水の浸入防止の確実性が増すとともに、上下方向の省スペース化が図れる。
【００１５】
第４の発明は、特に、第１〜３のいずれか１つの発明において、前記防水シートの外周端部の下方に排水用溝部を配したことにより、防水シートで覆った範囲外に滴下した水を速やかに排水できるのである。
【００１６】
第５の発明は、特に、第４の発明において、前記防水シートの外周端部の下方に配した前記排水用溝部を、前記制御回路を収納する前記操作部カバーに一体で形成したことにより、排水溝部の継ぎ目等をなくすことができ排水溝部からの浸入水の漏れもなくすことができる。
【００１７】
第６の発明は、特に、第１の発明において、前記ボタン部の周囲に形成した隙間の外周近傍を上方に突出させ、その突出部よりも外側に前記防水シートの端部を臨ませたことにより、防水シートで覆った範囲以外を排水経路として利用できるので、水が大量に浸入した場合にも溢れて制御回路内に侵入することがなくなる。
【００１８】
第７の発明は、特に、第１〜６のいずれか１つの発明において、前記防水シートの、前記ボタン部上方に相対する位置に、第２のエンボス加工部を形成したことにより、操作感を損なうことなく防水効果が得られる。
【００１９】
第８の発明は、本体と、前記本体の天面に配された、被加熱調理器を載置する天板と、前記天板の下方に設けられた誘導加熱コイルと、前記誘導加熱コイルに高周波電力を供給する電源回路と、外部からの操作により機器の運転の制御や、機器の運転状態の表示を行なう制御回路と、前記制御回路を収納する操作部ユニットと、を備え、前記本体の天面には開口部を形成し、前記操作部ユニットの一部を前記開口部に臨ませて前記本体に固定し、外部からの操作力を前記制御回路に設けたスイッチに伝達する為のエンボス加工部を有して前記開口部を含む操作面及び表示面を覆うパネルシートを、前記本体の天面に貼り付けて、前記パネルシートに透明部を形成し、前記透明部の下方に前記操作部ユニットの表示部を配し、前記操作部ユニットの操作部カバーの前記表示部に相対する箇所に開口した表示窓を形成し、前記開口した表示窓に透明材質からなる保護板を配するとともに、前記保護板は、外周端部が、前記開口した表示窓の縁よりも外側に伸長し、前記表示面の前記開口部より内側の前記パネルシート近傍で前記表示窓を覆ってなるものである。
【００２０】
これにより、表示部の視認性を損なうことなく、制御回路への水の浸入防止が図れる。
【００２１】
第９の発明は、特に、第８の発明において、前記保護板の外周のフランジ部は、略鉛直下方に伸長して形成したことにより、保護板で覆った部分への水の浸入防止の確実性が増すとともに、水平方向の省スペース化が図れる。
【００２２】
第１０の発明は、特に、第８の発明において、前記保護板の外周のフランジ部は、外側に向かうにつれて下方に伸長して形成したことにより、保護板で覆った部分への水の浸入防止の確実性が増すとともに、上下方向の省スペース化が図れる。
【００２３】
第１１の発明は、特に、第８〜１０のいずれか１つの発明において、前記保護板の外周端部の下方に排水用溝部を配したことにより、保護板で覆った範囲外に滴下した水を速やかに排水できるのである。
【００２４】
第１２の発明は、特に、第１１の発明において、前記保護板の外周端部の下方に配した前記排水用溝部を、前記操作部カバーに一体で形成したことにより、排水溝部の継ぎ目等をなくすことができ排水溝部からの浸入水の漏れもなくすことができる。
【００２５】
第１３の発明は、特に、第８の発明において、前記開口した表示窓の外周近傍を上方に突出させ、その突出部よりも外側に前記保護板の端部を臨ませたことにより、保護板で覆った範囲以外を排水経路として利用できるので、水が大量に浸入した場合にも溢れて制御回路内に浸入することがなくなる。
【００２６】
以下、本発明の実施の形態について、図面を参照しながら説明する。なお、この実施の形態によって本発明が限定されるものではない。ここで、実施の形態の説明順序は上記に記載の発明の順序とは異なる場合がある。また、複数の発明を包括して説明している場合もある。
【００２７】
（実施の形態１）
図１及び図２は、本発明における第１の実施の形態における誘導加熱調理器の概略構成を示すものである。但し、実施の形態の説明に不要な構成部分については主要構成であっても省略している。以下、図面を用いて説明する。
【００２８】
本体１の天面には鍋などの被加熱調理器具を載置する天板２が配されている。天板２は高耐熱のガラス等の、電磁誘導によって過熱されない材質で構成されている。トップフレーム３は、天板２の外周を囲み、天板２とともに本体１の上面を形成している。トップフレーム３の前方に設けられた操作部４には、外部操作により機器の運転を制御するための
信号入力部、及び機器の運転状態を表示する表示部等を有する制御回路等から構成される操作部ユニット（後述）を装備している。
【００２９】
天板２の下方には誘導加熱コイル５が近接して設けられている。誘導加熱コイル５はコイルベース６により保持され、本体１内の所定の位置に保持されている。誘導加熱コイル５には電源回路７によって高周波電力が供給される。誘導加熱コイル５及び電源回路７は冷却ファン８の送風によって冷却される。
【００３０】
図３及び図４は、第１の実施の形態における誘導加熱調理器の操作部４を構成する操作部ユニット９の構成及び本体１への取り付け構成等の概略を示すものである。
【００３１】
図３において、本体１の上面の一部を成すトップフレーム３の前方には操作面１０が形成され、その下方には操作部カバー上１１が配され、第１のねじ１２で操作面１０に固定されている。操作部カバー上１１の内部には、機器の運転を制御するための信号入力部、及び機器の運転状態を表示する表示部等を有する制御回路１３が収納されており、第２のねじ１４によって操作部カバー上１１に固定されている。
【００３２】
制御回路１３は、下側から操作部カバー下１５で下方を覆われており、操作部カバー１５は第３のねじ１６によって操作部カバー上１１と固定される。
【００３３】
制御回路１３はリード線１７により電源回路７等と電気的接続がなされており、これにより操作・表示に関わる信号を授受する。
【００３４】
制御回路１３には、信号入力部であるスイッチ１８や、表示部である液晶パネル１９が組み込まれている。
【００３５】
トップフレーム３の操作面１０には、スイッチ１８及び液晶パネル１９に相対する位置に各々第１の開口２０及び第２の開口２１が形成されおり、操作面１０にはスイッチ１８に相対する箇所にエンボス加工部２２を形成し、また液晶パネル１９に相対する箇所に透明部２３（図７、８、９のａの範囲）を形成したパネルシート２４が貼り付けられている。
【００３６】
操作部カバー上１１には、スイッチ１８上方に位置する箇所に、弾性を有する腕部２５の一端に形成されて、外部操作による操作力をスイッチ１８に伝達するボタン部２６が形成されている。
【００３７】
パネルシート２４とボタン部２６との間には、防水性を有する材質からなる防水シート２７が配されている。また、操作部カバー上１１の表示部に相対する箇所には、開口した表示窓２８が形成されており、その表示窓２８には透明材質からなる保護板２９が配されている。
【００３８】
図４において、防水シート２７の端部３０は、ボタン部２６及びボタン部２６の略上下動の為に周囲に形成した隙間３１の上方を覆っている。また、その端部３０には略鉛直下方に伸長するフランジ部３２が形成してある。
【００３９】
防水シート２７の端部３０の下方には排水用溝部３３が配されており、この排水用溝部３３は操作部カバー上１１に一体で形成してある。
【００４０】
また防水シート２７には、ボタン部２６上方に相対する位置に、第２のエンボス加工部３４が形成されており、押圧操作によりパネルシート２４のエンボス加工部２２の上下動
に連動して上下する。
【００４１】
上記のような構成により、パネルシート２４とボタン部２６との間に、防水性を有する材質からなる防水シート２７を配したことにより、パネルシート２４が損傷した場合においても、ボタン部２６等からの制御回路１３への水の浸入を、防水シート２７によって防ぐことができるのである。
【００４２】
また、防水シート２７の端部３０を、少なくともボタン部２６及びボタン部２６の略上下動の為にボタン部２６の周囲に形成した隙間３１を覆ったことにより、ボタン部２６の上下動をスムース化するために必要な隙間も含めて、水の浸入の防止を図ることができる。
【００４３】
また、防水シート２７の外周に、略鉛直下方に伸長するフランジ部３２を形成したことにより、防水シート２７で覆った部分への水の浸入防止の確実性が増すとともに、水平方向の省スペース化が図れる。
【００４４】
また、防水シート２７の外周端部３０の下方に排水用溝部３３を配したことにより、防水シート２７で覆った範囲外に滴下した水を速やかに操作部カバー上１１の外周を経て下方に排水できるのである。
【００４５】
また、防水シート２７の外周端部３０の下方に配した排水用溝部３３を、制御回路１３を収納する操作部カバー上１１に一体で形成したことにより、排水溝部３３の継ぎ目等をなくすことができ、排水溝部３３からの浸入水の漏れもなくすことができる。
【００４６】
さらに、防水シート２７の、ボタン部２６上方に相対する位置に、第２のエンボス加工部３４を形成したことにより、操作感を損なうことなく防水効果が得られる。
【００４７】
（実施の形態２）
図５は、本発明における実施の形態２における誘導加熱調理器の操作部ユニット３５の概略構成を示すもので、防水シート３６の外周に外側に向かうにつれて下方に伸長するフランジ部３７を形成しており、これにより、防水シート３６で覆った部分への水の浸入防止の確実性が増すとともに、排水溝部の深さをより小さくできるので上下方向の省スペース化が図れる。
【００４８】
（実施の形態３）
図６は、本発明における実施の形態３における誘導加熱調理器の操作部ユニット３５の概略構成を示すもので、操作部カバー上３８のボタン部３９の周囲に形成した隙間４０の外周近傍を上方に突出させ、その突出部４１よりも外側に防水シート４２の端部４３を臨ませたており、これにより、防水シート４２で覆った範囲以外を排水経路として利用できるので、水が大量に浸入した場合にも排水用溝部が溢れて制御回路１３内に侵入することがなくなる。
【００４９】
（実施の形態４）
図７は、本発明における実施の形態４における誘導加熱調理器の操作部ユニット３５の概略構成を示すもので、保護板４４の端部４５を、開口した表示窓の縁４６よりも外側に伸長しており、また、その端部４５には略鉛直下方に伸長するフランジ部４７を形成している。
【００５０】
保護板４４の端部４５の下方には排水用溝部４８が配されており、この排水用溝部４８は操作部カバー上４９に一体で形成してある。
【００５１】
上記のような構成により、保護板４４の端部４５を、開口した表示窓の縁４６よりも外側に伸長したことにより、表示部の視認性を損なうことなく、制御回路１３への水の浸入防止が図れる。
【００５２】
また、保護板４４の外周に、略鉛直下方に伸長するフランジ部４７を形成したことにより、保護板４４で覆った部分への水の浸入防止の確実性が増すとともに、水平方向の省スペース化が図れる。
【００５３】
また、保護板４４の外周端部４５の下方に排水用溝部４８を配したことにより、保護板４４で覆った範囲外に滴下した水を速やかに操作部カバー上４９の外周を経て下方に排水できる。
【００５４】
さらに、排水用溝部４８を、操作部カバー上４９に一体で形成したことにより、排水溝部４８の継ぎ目等をなくすことができ排水用溝部４８からの浸入水の漏れもなくすことができる。
【００５５】
（実施の形態５）
図８は、本発明における実施の形態５における誘導加熱調理器の操作部ユニット３５の概略構成を示すもので、保護板５０の外周に、外側に向かうにつれて下方に伸長するフランジ部５１を形成しており、これにより、保護板５０で覆った部分への水の浸入防止の確実性が増すとともに、排水溝部の深さをより小さくできるので上下方向の省スペース化が図れる。
【００５６】
（実施の形態６）
図９は、本発明における実施の形態６における誘導加熱調理器の操作部ユニット３５の概略構成を示すもので、操作部カバー上５２の表示窓５３の外周近傍を上方に突出させ、その突出部５４よりも外側に保護板５５の端部５６を臨ませており、これにより、保護板５５で覆った範囲以外を排水経路として利用できるので、水が大量に浸入した場合にも排水用溝部が溢れて制御回路１３内に浸入することがなくなる。
【産業上の利用可能性】
【００５７】
以上のように本発明は、簡便な構成でパネルシート破損時の水の浸入による故障を防止でき、機器の信頼性を大幅に高めることができるので、一般家庭の台所や業務用の厨房等で使用される、据え置き型或いは組込型の誘導加熱調理器以外の、例えば卓上型の加熱調理器等にも適用できる。
【符号の説明】
【００５８】
１  本体
２  天板
３  トップフレーム
４  操作部
５  誘導加熱コイル
７  電源回路
９  操作部ユニット
１０  操作面
１１  操作部カバー上
１３  制御回路
１８  スイッチ
１９  液晶パネル
２０  第１の開口
２１  第２の開口
２２  エンボス加工部
２３  透明部
２４  パネルシート
２５  腕部
２６  ボタン部
２７  防水シート
２８  開口した表示窓
２９  保護板
３０  （防水シートの）端部
３１  （ボタン部周囲の）隙間
３２  フランジ部
３３  排水用溝部
３４  第２のエンボス加工部
３５  操作部ユニット
３６  防水シート
３７  フランジ部
３８  操作部カバー上
３９  ボタン部
４０  隙間
４１  突出部
４２  防水シート
４３  （防水シートの）端部
４４  保護板
４５  （保護板の）端部
４６  表示窓の縁
４７  （保護板の）フランジ部
４８  排水用溝部
４９  操作部カバー上
５０  保護板
５１  （保護板の）フランジ部
５２  操作部カバー上
５３  表示窓
５４  突出部
５５  保護板
５６  （保護板の）端部
【図１】
0005625385.tif 000002
【図２】
0005625385.tif 000003
【図３】
0005625385.tif 000004
【図４】
0005625385.tif 000005
【図５】
0005625385.tif 000006
【図６】
0005625385.tif 000007
【図７】
0005625385.tif 000008
【図８】
0005625385.tif 000009
【図９】
0005625385.tif 000010